(57)【要約】【課題】コーキング部分が目立たなく、汚れにくくなり、また、ドアをフラットな状態に設置できる防水パンを提供する。【解決手段】ユニットルームの防水パン１であって、防水パン１の外周に立設される壁パネル８の下方に防水パン１の床面から立ち上げられた突条５が設けられ、壁パネル８の内壁面８ａの下方延長線に対し突条５の室内側立ち上げ面５ａが同一面若しくは室外側に位置し、突条５の外側には壁パネル載置用スペーサー７またはドア枠が載置される一段下がった落とし込み部６が形成されている。【選択図】図２
2007191974.tif 000002
【特許請求の範囲】
【請求項１】
ユニットルームの防水パンであって、
該防水パンの外周に立設される壁パネルの下方に防水パンの床面から立ち上げられた突条が設けられ、
該壁パネルの内壁面の下方延長線に対し該突条の室内側立ち上げ面が同一面若しくは室外側に位置し、
該突条の外側には壁パネル載置用スペーサーまたはドア枠が載置される一段下がった落とし込み部が形成されていることを特徴とする防水パン。
【請求項２】
前記ドア枠が設置される部分のみ前記突条が切断されていることを特徴とする請求項１に記載の防水パン。
【請求項３】
ユニットルームの防水パンへの壁パネルの立設構造であって、
該防水パンの外周に防水パンの床面から立ち上げられた突条が設けられ、
該突条の外側には壁パネル載置用スペーサーが一段下がった落とし込み部に載置され、
該スペーサーの壁パネル載置面と該突条の上端面とは略同一高さとされており、
壁パネルがスペーサーと突条との上に立設されていることを特徴とする防水パンへの壁パネルの立設構造。
【発明の詳細な説明】
【技術分野】
【０００１】
本発明は、浴室，シャワールーム，脱衣室等のユニットルームの防水パンおよび防水パンへの壁パネルの立設構造に関するものである。
【背景技術】
【０００２】
従来、特許文献１に開示されているように、外周側に壁パネルの下端部が載置される壁載せ部を低い位置に形成した衛生設備ユニットのフロア構造が存在する。
【特許文献１】特開２００５−２１３９７０号公報
【発明の開示】
【発明が解決しようとする課題】
【０００３】
上記特許文献１に開示されているような構造では、壁載せ部に壁パネルを載置して、この壁パネルの内側に立ち上がる立上壁と壁パネル間に室内側からコーキングを施す必要があるが、このコーキングの部分が室内側から目立ちやすく、また、この部分に汚れが溜まりやすいという問題点があった。
また、ドアを設置するに際し、ドアの設置部分の立上壁を切断すると、切断面が露出してしまい、切断面にカバーを施す必要があるという問題点があった。
【課題を解決するための手段】
【０００４】
本発明は上記従来の問題点に鑑み案出したものであって、コーキングが目立つことなく、また汚れが溜まることも少なく、またドアを見栄え良く段差をなくして設置できる防水パンを提供せんとするものであり、その請求項１は、ユニットルームの防水パンであって、該防水パンの外周に立設される壁パネルの下方に防水パンの床面から立ち上げられた突条が設けられ、該壁パネルの内壁面の下方延長線に対し該突条の室内側立ち上げ面が同一面若しくは室外側に位置し、該突条の外側には壁パネル載置用スペーサーまたはドア枠が載置される一段下がった落とし込み部が形成されていることである。
【０００５】
また、請求項２は、前記ドア枠が設置される部分のみ前記突条が切断されていることである。
【０００６】
また、請求項３は、ユニットルームの防水パンへの壁パネルの立設構造であって、該防水パンの外周に防水パンの床面から立ち上げられた突条が設けられ、該突条の外側には壁パネル載置用スペーサーが一段下がった落とし込み部に載置され、該スペーサーの壁パネル載置面と該突条の上端面とは略同一高さとされており、壁パネルがスペーサーと突条との上に立設されていることである。
【発明の効果】
【０００７】
本発明は、ユニットルームの防水パンであって、該防水パンの外周に立設される壁パネルの下方に防水パンの床面から立ち上げられた突条が設けられ、該壁パネルの内壁面の下方延長線に対し該突条の室内側立ち上げ面が同一面若しくは室外側に位置し、該突条の外側には壁パネル載置用スペーサーまたはドア枠が載置される一段下がった落とし込み部が形成されていることにより、上方へ立ち上げられた突条の上に壁パネルの下端を当接させて壁パネルを設置することができ、この設置状態で壁パネルの室内側の面と同じか外側に突条が位置するために、平面上部から見ると突条と壁パネル間に段差が生ずることがなく、目立たないようにコーキングを施すことができ、また、コーキングは突条の上端側に施されるために排水等による汚れが付きにくく、また掃除しやすいものとなる。
【０００８】
また、前記ドア枠が設置される部分のみ前記突条が切断されていることにより、突条を切断してドア枠を洗い場と段差のない状態に落とし込み部に載置させて設置することができ、入口に段差のない良好なユニットルームを形成させることができるものとなる。
【実施例】
【０００９】
以下、本発明の実施例を図面に基づいて説明する。
図１は、防水パンの平面構成図であり、防水パン１は、浴室の床面を構成するものであり、洗い場面２と浴槽設置面３が堤防部４で仕切られた状態で一体形成されており、洗い場面２には洗い場排水口２ａが、また浴槽設置面３には浴槽排水口３ａが形成されている。
【００１０】
本例における防水パン１の洗い場面２の堤防部４側を除く外周３辺には、図２の拡大縦断面構成図で示すように、上方へ立ち上げて突条５が一体形成されており、この突条５の外側には一段下がった位置に落とし込み部６が連続して形成されている。この落とし込み部６は、突条５の下端から下方へ延びる垂下片６ａと、この垂下片６ａの下端で外側へ略水平状にやや湾曲して延びる水平支持片６ｂで構成されており、この落とし込み部６にはスペーサー７を載置することができ、スペーサー７の上端の壁パネル載置面７ａを突条５の上端とほぼ同一高さに設定して、この上に壁パネル８の下端を当接させて、壁パネル８をスペーサー７と突条５の上に立設できるように構成されている。
【００１１】
この壁パネル８を設置した状態において、壁パネル８の室内側壁面８ａと同じか室外側に前記突条５の室内側立ち上げ面５ａが位置するように設定されている。
突条５上に壁パネル８を立設させた後に、壁パネル８の下端と突条５の上端間に室内側よりコーキングＣを施して止水処理を行なうのであるが、このコーキングＣは、突条５が壁パネル８と同じか、また室外側に位置しているために、室内側から目立つことなく良好に施工することができ、意匠性に優れた設置状態が得られ、また、このコーキングＣは突条５の高さ分だけ高い位置に施されるために、排水等がかかりにくく、汚れにくいものとなる。
なお、図４は、突条５が壁パネル８より室外側にある場合の壁パネル８の立設状態図である。
【００１２】
なお、出入口用のドアが設置される部分（図１におけるＰで示す部分）では、図３の縦断面図で示すように、突条５を切断して除去することで、図３のように落とし込み部６にドア枠９を配置させると、ドア枠９の上面の洗い場面２上への張り出し部分が突条５を切断した部分を覆い隠すこととなり、突条５の切断部が露出することがなく、見栄えが良好なものとなり、また突条５が切断されることにより、洗い場面２とドア枠９の上面は段差のないフラット状態となり、出入りがしやすい構造となる。
なお、図３において、１０はドア枠９に取り付けられるドアであり、また、図中９ａはドア縦枠の室内側のラインである。
【００１３】
なお、本例の防水パンは、浴室用の防水パンを例示しているが、その他、シャワールームや脱衣室等の衛生設備用のユニットルームの防水パンについても、同様に、外周側に突条５と、その外側に一段低い落とし込み部６を一体形成して、壁パネルを良好な意匠性を呈して設置でき、また、ドア枠をフラットな状態で良好に設置できるものとなる。
【図面の簡単な説明】
【００１４】
【図１】浴室用の防水パンの平面構成図である。
【図２】防水パンに壁パネルを立設した状態の要部縦断面拡大構成図である。
【図３】ドアを設置した部分の要部縦断面拡大構成図である。
【図４】突条が壁パネルより室外側にある場合の防水パンに壁パネルを立設した状態の要部縦断面拡大構成図である。
【符号の説明】
【００１５】
１  防水パン
２  洗い場面
５  突条
６  落とし込み部
６ａ  垂下片
６ｂ  水平支持片
７  スペーサー
８  壁パネル
９  ドア枠
９ａ  ドア枠ライン
１０  ドア
【図１】
2007191974.tif 000003
【図２】
2007191974.tif 000004
【図３】
2007191974.tif 000005
【図４】
2007191974.tif 000006